(57)【要約】セクター内のターゲットユーザーのためのセクター間干渉は、それらの送信が衝突するときはいつでも隣接するセクター内のユーザーを干渉するための送信電力を選択的にブランキングまたは減衰することにより制御してもよい。セクターは隣接するセクターに対してターゲットユーザーのための周波数ホッピング（ＦＨ）シーケンスまたはサブバンド使用法を供給する。各隣接するセクターは、ブランキングパターンを形成するためにターゲットユーザーのＦＨシーケンスを使用する。次に、各隣接セクターは、そのブランキングパターン内の各サブバンドに対して送信電力をブランキングまたは低減する。各隣接セクター内の各ユーザーは（１）ブランキングが実行されるなら、ブランキングパターン内のサブバンドに対してパンクチャードシンボルを受信するかまたは（２）減衰が実行されるなら、これらのサブバンドのためのより低いエネルギーシンボルを受信する。どんな場合でも、ターゲットユーザーおよび各隣接するユーザーは、通常の方法で受信したシンボルを処理してもよく、ブランキング／減衰を知らされる必要はない。
2007538462.tif 000002
【特許請求の範囲】
【請求項１】
無線通信システムにおいて送信エンティティにより生じた干渉を制御する方法において、
送信エンティティからの低減された干渉が求められる送信スパンを示すブランキングパターンを得ることと、
前記ブランキングパターン内の前記送信スパン上に送信された送信のための送信電力をオフにするかまたは低減することと、
を備えた方法。
【請求項２】
前記無線通信システムは直交周波数分割多重化（ＯＦＤＭ）を利用し、前記システム内の各送信スパンは、特定の時間間隔において１つ以上のサブバンドの特定のセットに相当する、請求項１の方法。
【請求項３】
前記ブランキングパターンは、低減された干渉が求められる少なくとも１つの端末に割り当てられた少なくとも１つの周波数ホッピング（ＦＨ）シーケンスにより決定される異なる時間間隔に異なるサブバンドのセットを含む、請求項２の方法。
【請求項４】
前記ブランキングパターンは、前記システム内のデータ送信のために使用可能なすべての送信スパンのサブセットを含む、請求項１の方法。
【請求項５】
前記送信エンティティは、少なくとも１つの隣接基地局を有する現在の基地局である、請求項１の方法。
【請求項６】
前記ブランキングパターンは、前記少なくとも１つの隣接基地局と通信し、前記現在の基地局が干渉基地局であるとみなされる少なくとも１つの端末に割り当てられた送信スパンを含む、請求項５の方法。
【請求項７】
前記端末において測定される前記現在の基地局のための受信されたパイロット電力が所定のしきい値を超えるなら、前記現在の基地局は、隣接基地局と通信している端末に対して干渉基地局であるとみなされる、請求項６の方法。
【請求項８】
隣接基地局と通信している各端末は、端末が通信してもよい１つ以上の基地局のアクティブセットを維持し、前記現在の基地局が前記端末のためのアクティブセット内に現れるなら前記現在の基地局は干渉基地局であるとみなされる請求項６の方法。
【請求項９】
前記ブランキングパターンは、前記少なくとも１つの隣接基地局によりブランキングされたまたは低減された送信を備えた送信スパンを排除する、請求項５の方法。
【請求項１０】
前記現在の基地局と通信し、低減された干渉が求められる端末を識別することと、
各識別された端末に干渉を生じる隣接基地局を識別することと、
隣接基地局毎に、前記識別された端末のために前記隣接基地局からの低減された干渉が求められる送信スパンを決定することと、
をさらに備えた、請求項５の方法。
【請求項１１】
前記端末において測定された隣接基地局のための受信されたパイロット電力が所定のしきい値を超えるなら前記隣接基地局は前記基地局と通信している端末に対して干渉基地局であるとみなされる、請求項１０の方法。
【請求項１２】
現在の基地局と通信している各端末は前記端末が通信してもよい１つ以上の基地局のアクティブセットを維持し、隣接基地局が前記端末のためのアクティブセット内に現れるなら前記隣接基地局は干渉基地局であるとみなされる、請求項１０の方法。
【請求項１３】
前記送信エンティティは端末である、請求項１の方法。
【請求項１４】
前記ブランキングパターンは、端末が通信している基地局から得られる、請求項１３の方法。
【請求項１５】
前記ブランキングパターン内の前記送信スパン上に送信される送信のための送信電力は、所定量だけ低減される、請求項１の方法。
【請求項１６】
前記ブランキングパターン内の前記送信スパン上に送信される送信のための送信電力は所定の電力レベル内にあるように制限される、請求項１の方法。
【請求項１７】
高い干渉を生じる可能性が高いとみなされるとき、前記送信電力はオフとなり、高い干渉を生じる可能性が低いとみなされるとき前記送信電力は低減される、請求項１の方法。
【請求項１８】
無線通信システムにおいて干渉を制御するように動作可能な装置において、
送信エンティティからの低減された干渉が求められる送信スパンを示すブランキングパターンを得るように機能的に作用するコントローラーと、
前記ブランキングパターン内の前記送信スパン上に送信される送信のための送信電力をオフにするかまたは低減するように機能的に作用するユニットと、
を備えた装置。
【請求項１９】
前記送信エンティティは、少なくとも１つの隣接基地局を有する現在の基地局である、請求項１８の装置。
【請求項２０】
前記少なくとも１つの隣接基地局と通信し、前記現在の基地局が干渉基地局であるとみなされる少なくとも１つの端末に割り当てられた送信スパンを含む、請求項１９の装置。
【請求項２１】
前記現在の基地局と通信しており、低減された干渉が求められる端末を識別し、各識別された端末に干渉を生じる隣接基地局を識別し、隣接基地局ごとに、前記識別された端末のために前記隣接基地局からの低減された干渉が求められる送信スパンを決定するように前記コントローラーは機能的に作用する請求項１９の装置。
【請求項２２】
前記無線通信システムは、直交周波数分割多重アクセス（ＯＦＤＭＡ）システムである、請求項１８の装置。
【請求項２３】
無線通信システムにおいて干渉を制御するように動作可能な装置において、
送信エンティティからの低減された干渉が求められる送信スパンを示すブランキングパターンを得る手段と、
前記ブランキングパターン内の前記送信スパン上に送信された送信のための送信電力をオフにするかまたは低減する手段と、
を備えた装置。
【請求項２４】
前記送信エンティティは少なくとも１つの隣接基地局を有する現在の基地局である、請求項２３の装置。
【請求項２５】
前記ブランキングパターンは、前記少なくとも１つの隣接基地局と通信し、現在の基地局が干渉基地局とみなされるすくなくとも１つの端末に割り当てられた送信スパンを含む、請求項２４の装置。
【請求項２６】
前記現在の基地局と通信し低減された干渉が求められる端末を識別する手段と、
各識別された端末に干渉を生じる隣接基地局を識別する手段と、
隣接基地局毎に、前記識別された端末のために前記隣接基地局からの低減された干渉が求められる送信スパンを決定する手段と、
をさらに備えた、請求項２４の装置。
【請求項２７】
無線通信システムにおいて基地局により端末に送信されたデータ送信を受信する方法において、
前記端末に割り当てられた送信スパンのための受信されたシンボルを得ることであって、前記基地局は、前記基地局からの低減された干渉が求められる送信スパンを示すブランキングパターンに関連し、前記端末に割り当てられた前記送信スパンのサブセットが前記ブランキングパターンに含まれ、前記ブランキングパターン内の前記送信スパン上に送信されたシンボルに対して前記基地局のための送信電力がオフにされるかまたは低減されることと、
前記受信したシンボルを処理して前記端末のためのデコードされたデータを得ることと、
を備えた方法。
【請求項２８】
前記無線通信システムは、直交周波数分割多重化（ＯＦＤＭ）を利用し、前記システム内の各送信スパンは、特定の時間区間内の１つ以上のサブバンドの特定のセットに相当する、請求項２７の方法。
【請求項２９】
ブランキングパターンを得ることと、
前記ブランキングパターン内の送信スパンのためのおよび前記端末に割り当てられた受信されたシンボルをデコーディングする前に削除に設定することと、
をさらに備えた、請求項２７の方法。
【請求項３０】
無線通信システムにおいて基地局により端末に送信されたデータ送信を受信するように動作可能な装置において、
前記端末に割り当てられた送信スパンのための受信されたシンボルを得るように動作可能なデマッピングユニットであって、前記基地局は、前記基地局からの低減された干渉が求められる送信スパンを示すブランキングパターンに関連し、前記端末に割り当てられた送信スパンのサブセットは前記ブランキングパターン内に含まれ、前記基地局のための送信電力は、前記ブランキングパターン内の前記送信スパン上に送信されるシンボルに対してオフにされるかまたは低減される、デマッピングユニットと、
前記受信されたシンボルを処理して前記端末のためのデコードされたデータを得るように機能的に作用するデコーダーと、
を備えた装置。
【請求項３１】
無線通信システムにおいて基地局により端末に送信されるデータ送信を受信するように動作可能な装置において、
前記端末に割り当てられた送信スパンのための受信されたシンボルを得る手段であって、前記基地局は、前記基地局からの低減された干渉が求められる送信スパンを示すブランキングパターンに関連し、前記端末に割り当てられた前記送信スパンのサブセットが前記ブランキングパターン内に含まれ、前記基地局のための送信電力は、前記ブランキングパターン内の前記送信スパン上に送信されたシンボルに対してオフにされるかまたは低減される、手段と、
前記受信されたシンボルを処理し前記端末のためのデコードされたデータを得る手段と、
を備えた装置。
【請求項３２】
無線通信システムにおいて端末により基地局に送信されたデータ送信を受信する方法において、
前記端末に割り当てられた送信スパンのための受信されたシンボルを得ることであって、前記端末は、前記端末からの低減された干渉が求められる送信スパンを示すブランキングパターンに関連し、前記端末に割り当てられた前記送信スパンのサブセットが前記ブランキングパターンに含まれ、前記端末のための送信電力は、前記ブランキングパターン内の前記送信スパン上に送信されたシンボルに対してオフされるかまたは低減されることと、
前記受信されたシンボルを処理して前記端末のためのデコードされたデータを得ることと、
を備えた方法。
【請求項３３】
前記無線通信システムは、直交周波数分割多重化（ＯＦＤＭ）を利用し、前記システム内の各送信スパンは特定の時間区間において１つ以上のサブバンドの特定のセットに相当する、請求項３２の方法。
【請求項３４】
前記ブランキングパターン内の前記送信スパンのための受信されたシンボルをデコードする前に消去に設定することをさらに備えた、請求項３２の方法。
【発明の詳細な説明】
【技術分野】
【０００１】
この発明は一般に通信に関し、特に無線通信システムにおいて干渉を制御するための技術に関する。
【背景技術】
【０００２】
周波数ホッピング（ＦＨ）通信システムにおいて、データは、「ホップ期間」と呼んでもよい異なる時間間隔で異なる周波数サブバンド上に送信される。これらのサブバンドは直交周波数分割多重化（ＯＦＤＭ）、他のマルチキャリア変調技術、またはその他の構成概念により供給されてもよい。周波数ホッピングを用いた場合、データ送信は擬似乱数の方法でサブバンドからサブバンドにホップする。このホッピングは周波数ダイバーシティを提供し、データ送信が、狭帯域干渉、ジャミング、フェージング等のような有害な経路効果により良く耐えることを可能にする。
【０００３】
直交周波数分割多重アクセス（ＯＦＤＭＡ）システムはＯＦＤＭを利用し、複数のユーザーをサポートすることができる。周波数ホッピングＯＦＤＭＡ（ＦＨ−ＯＦＤＭＡ）システムの場合、各ユーザーは、各ホップ期間においてデータ送信に使用するために特定のサブバンド（複数の場合もある）を示す特定のＦＨシーケンスが割り当てられてもよい。複数のユーザーのための多重データ送信は、互いに直交する異なるＦＨシーケンスを用いて同時に送信されてもよい。従って、１つのデータ送信のみが各ホップ期間に各サブバンドを使用する。直交ＦＨシーケンスを用いて、多重データ送信は、周波数ダイバーシティの利益を享受しながら、互いに干渉しない。
【０００４】
ＦＨ−ＯＦＤＭＡシステムは典型的に多くのセクターを含む。この場合、用語「セクター」は、その用語が使用される文脈に依存してベーストランシーバーサブシステム（ＢＴＳ）および／またはＢＴＳのサービスエリアに言及することがあり得る。上述したように、同じセクターと通信するユーザーのためのデータ送信は直交ＦＨシーケンスを用いて送信されてもよく、「セクター間」干渉を回避する。しかしながら、異なるセクター内のユーザーのためのデータ送信は典型的に直交化されない。従って、各ユーザーは他のセクター内のユーザーからの「セクター間干渉」を観察する。セクター間干渉の有害な影響は、各セクターのためのＦＨシーケンスが擬似乱数であるまたは隣接するセクターのためのＦＨシーケンスに対して独立であると定義することにより低減されてもよい。擬似乱数ＦＨシーケンスの使用はセクター間干渉をランダム化する。従って、各ユーザーは他のセクター内のユーザーから平均干渉を観察する。しかしながら、ランダム化されたセクター間干渉は依然として、高レベルの干渉を観察する数人の不利な条件に置かれたユーザーのための性能を著しく劣化させるかもしれない。
【０００５】
それゆえ、不利な条件に置かれたユーザーのための性能を改良するためにセクター間干渉を低減するための技術の必要性がある。
【発明の概要】
【０００６】
高干渉レベルを観察する不利な条件に置かれた（または「ターゲット」の）ユーザーのための性能を改良するためにセクター間干渉を制御するための技術がここに記載される。これらの技術は種々の無線通信システムおよびフォワードリンク並びにリバースリンクのために使用されてもよい。
【０００７】
与えられたセクター内のターゲットユーザーのためのセクター間干渉は、これらのユーザーの送信がターゲットユーザーの送信と重なるときは隣接セクター内のユーザーを干渉する送信電力を選択的にオフにする（すなわち、ブランキングする）または低減する（すなわち、減衰する）ことにより制御されてもよい。選択的ブランキング／減衰は種々の方法で実行されてもよい。例えば、セクターはターゲットユーザーと通信する困難性を有し、隣接セクターにその困難性を通知し、ターゲットユーザーのためにＦＨシーケンスまたはサブバンド使用法を供給してもよい。各隣接セクターはターゲットユーザーのＦＨシーケンスを得て、それを使って、そのセクターのためのブランキングパターンを形成する。各セクターのためのブランキングパターンは、そのセクターからの低減された干渉が求められるサブバンドを含む。次に、各隣接セクターは、そのブランキングパターン内の各サブバンドのための送信電力をブランクにするかまたは低減してもよい。
【０００８】
各隣接セクター内の各ユーザー（すなわち、各隣接ユーザー）は、そのセクターのためのブランキングパターン内の各サブバンド低減された電力を有した送信を受信しないまたは受信する。各セクターのためのＦＨシーケンスが隣接セクターのためのＦＨシーケンスに対して擬似乱数なら、各隣接セクターのためのブランキングセクターはそのセクターのためのＦＨシーケンスと相関されないであろう。ブランキングが実行されるなら、ブランキングパターン内のサブバンド上に送信されないデータシンボルのランダム化されたパンクチャリング（または削除）を経験するであろう。減衰が実行されるなら、各隣接ユーザーはブランキングパターン内のサブバンド上のより低いエネルギーシンボルを受信するであろう。どんな場合でも、ターゲットユーザーと各隣接ユーザーは通常の方法で受信したシンボルを処理してもよいし、実行される選択的ブランキング／減衰を知らされる必要はない。
【０００９】
この発明の種々の観点および実施形態は以下にさらに詳細に記載される。
【発明を実施するための最良の形態】
【００１０】
本発明の特徴、性質及び利点は、類似による参照文字が相応して、全体で特定する図面と関連して解釈されるときに後述される詳細な説明からさらに明らかになるであろう。
【００１１】
「例示」という用語はここでは、例、インスタンスまたは例証として機能することを意味するために使用される。「例示」としてここに記載された任意の実施形態または設計は、他の実施形態または設計に対して好適であるとか利点があると必ずしも解釈されない。
【００１２】
図１は無線多重アクセス通信システム１００を示す。システム１００は多数の無線端末１２０のための通信をサポートする多数の基地局１１０を含む。基地局は、端末と通信するために使用される固定局であり、また、アクセスポイント、ノードＢ、またはその他の用語で呼ばれてもよい。端末１２０は典型的にシステム全体にわたって分散され、各端末は固定であってもよいしモバイルであってもよい。また、端末は移動局、ユーザー機器（ＵＥ）、無線通信装置、またはその他の用語で呼ばれてもよい。各端末はいつなんどきでも、フォワードリンクおよびリバースリンク上の１つのまたは恐らく複数の基地局と通信してもよい。フォワードリンク（またはダウンリンク）は基地局から端末への通信リンクを指し、リバースリング（またはアップリンク）は端末から基地局への通信リンクを指す。システムコントローラー１３０は基地局１１０に接続し、これらの基地局のための調整と制御を供給し、さらにこれらの基地局によりサービスされる端末のためのデータのルーティング(routing)を制御する。
【００１３】
各基地局１１０は、それぞれの地理的エリアのための通信サービスエリアを提供する。基地局および／またはそのサービスエリアは、その用語が使用される文脈に依存して「セル」と呼んでもよい。キャパシティーを増加させるために、各基地局のサービスエリアは、複数の（例えば３つの）セクター１１２に分割されてもよい。各セクターはＢＴＳによりサービスされる。セクター化されたセルの場合、そのセルのための基地局は典型的にそのセルのすべてのセクターのためのＢＴＳｓを含む。簡単にするために、以下の記載では、用語「基地局」は、セルにサービスする固定局と、セクターにサービスする固定局の両方に一般に使用される。「サービスする」基地局または「サービスする」セクターは、端末が通信するものである。また、用語「ユーザー」および「端末」はここでは、同義的に使用される。
【００１４】
ここに記載された干渉制御技術は、種々の無線通信システムのために使用されてもよい。例えば、これらの技術は、ＯＦＤＭＡシステム、時分割多重アクセス（ＴＤＭＡ）システム、周波数分割多重アクセス（ＦＤＭＡ）システム等のために使用されてもよい。ＴＤＭＡシステムは時分割多重化（ＴＤＭ）を使用し、異なる端末のための送信は異なる時間間隔で送信することにより直交化される。ＦＤＭＡシステムは周波数分割多重化（ＦＤＭ）を使用し、異なる端末のための送信は、異なる周波数サブバンドで送信することにより直交化される。ＯＦＤＭＡシステムはＯＦＤＭを利用する。ＯＦＤＭは効率的に全体のシステム帯域幅を多数の（Ｎ）の直交周波数サブバンドに分割する。また、これらのサブバンドはトーン、サブキャリア、ビン、周波数チャネル等とも呼ばれる。各サブバンドはデータを用いて変調されてもよいそれぞれのサブキャリアに関連する。ＯＦＤＭＡシステムは、時間、周波数、および／または符号分割多重化の任意の組み合わせを使用してもよい。
【００１５】
また、干渉制御技術は、フォワードリンク並びにリバースリンクのために使用されてもよい。明確にするために、これらの技術はＦＨ−ＯＦＤＭＡシステムにおけるフォワードリンクに対して以下に記載される。このＦＨ−ＯＦＤＭＡシステムの場合、複数の「トラフィック」チャネルは定義されてもよく、それによって、（１）各サブバンドは任意の与えられたホップ期間に唯一つのトラフィックチャネルのために使用され、（２）各トラフィックチャネルは各ホップ期間内の０、１、または複数のサブバンドが割り当てられてもよい。
【００１６】
図２は、ＦＨ−ＯＦＤＭＡシステムのための時間−周波数平面２００上の周波数ホッピングを図解する。周波数ホッピングを用いて、各トラフィックチャネルは、各ホップ期間にそのトラフィックチャネルを使用するために、特定のサブバンド（複数の場合もある）を示す特定のＦＨシーケンスと関連している。各セクター内の異なるトラフィックチャネルのためのＦＨシーケンスは互いに直交しており、従って、任意の与えられたホップ期間に２つのトラフィックチャネルが同じサブバンドを使用しない。また、各セクターのためのＦＨシーケンスは隣接セクターのためのＦＨシーケンスに対して擬似乱数である。これらの特性はセクター間の干渉を最小化し、セクター間の干渉をランダム化する。これらのトラフィックチャネルが同じホップ期間に同じサブバンドを使用するときはいつでも、２つのセクター内に２つのトラフィックチャネル間の干渉が生じる。しかしながら、異なるセクターに使用されるＦＨシーケンスの擬似乱数性質によりセクター間干渉はランダム化される。
【００１７】
周波数ホッピングは、データ送信を介してセクター間干渉をランダム化することができるけれども、干渉は依然として高いかもしれないし、何人かのユーザーのための性能を著しく劣化させるかもしれない。例えば、セクターの端に位置するユーザー（例えば、図１の端末１２０ａ、１２０ｂ、１２０ｅ）は典型的に低電力レベルでデータ送信を受信する。なぜなら、ユーザーはサービスしている基地局からさらに遠くに離れているからである。さらに、これらのセクターエッジユーザーはまた、より高いレベルの干渉を受信するかもしれない。なぜなら、セクターエッジユーザーは干渉する基地局に接近して位置しているからである。干渉は集中的かもしれず、隣接セクター内のユーザーのためのＦＨシーケンスがセクターエッジユーザーのためのＦＨシーケンスと衝突するときはいつも大量の干渉を生じるかもしれない。
【００１８】
ここに記載された技術は、他のセクター内のユーザーを干渉することによりターゲットユーザーのためのセクター間干渉を制御することができる。一般に、ターゲットユーザーは低減されたセクター間干渉が求められるユーザーである。干渉ユーザーはターゲットユーザーと干渉するとみなされるユーザーである。ターゲットユーザーと干渉ユーザーは上述した周波数ホッピングを備えた異なるセクター内にある。ターゲットユーザーおよび干渉ユーザー並びに干渉セクターは、以下に記載するように識別されてもよい。セクター間干渉は種々の方法で制御されてもよい。
【００１９】
セクター間干渉を制御する第１の実施形態において、それらの送信がターゲットユーザーのための送信と衝突するときは、干渉ユーザーのための送信電力は選択的にブランキングまたは減衰される。選択的なブランキング／減衰は、例えば以下のように実行されてもよい。セクターが特定のユーザーと通信する困難性を有するなら、このセクターは、隣接セクターにこの困難性を通知しこのターゲットユーザーのためにＦＨシーケンスまたはサブバンド使用法を提供する。各隣接セクターはターゲットユーザーのＦＨシーケンスを用いてそのセクターのためのブランキングパターンを形成してもよい。従って、各隣接セクターは、そのブランキングパターン内の各サブバンドのための送信電力をブランキングまたは低減してもよい。事実上、各隣接セクター内の各ユーザーはターゲットユーザーに対して干渉ユーザーであるとみなされる。しかしながら、干渉ユーザーは、以下に記載するように他の方法で識別されてもよい。
【００２０】
各隣接セクター内の各ユーザーは、そのセクターのためのブランキングパターン内の各サブバンド上で低減された電力を備えた送信を受信しないかまたは受信するであろう。ブランキングが実行されるなら、各隣接ユーザーは、ブランキングパターン内のサブバンド上に送信されないデータシンボルのランダム化されたパンクチャリングを経験するであろう。パンクチャリングレートは、干渉ユーザーのＦＨシーケンスがターゲットユーザーのためのＦＨシーケンスと衝突するレートにより決定される。パンクチャリングレートは相対的に低くなければならず、従って隣接ユーザーは、性能における無視できる劣化を経験する。減衰が行われるなら、これらのサブバンドのためのより低い送信電力により、各隣接ユーザーはブランキングパターン内のサブバンド上のより低いエネルギーシンボルを受信するであろう。しかしながら、これらの受信したシンボルは依然として有用な情報を含み、デコーディングのために有用である。
【００２１】
明確にするために、干渉送信の選択的ブランキング（そして減衰ではない）は、特定の例の場合について以下に記載される。この例において、各ユーザーは、ユーザーにサービスする候補であるすべてのセクターを含む「アクティブセット」を維持する。各ユーザーは種々のセクターからパイロットを受信してもよく、各セクターのために受信したパイロット電力を測定し、そのセクターのための受信したパイロット電力が所定の加算しきい値を超えるならセクターをアクティブセットに加算してもよい。この例の場合、各ユーザーはいつでもアクティブセット内の唯一つのセクターと通信する。これはサービングセクターと呼ばれる。各ユーザーは、（例えば、連続的にまたは周期的に）アクティブセット内のセクターからパイロットを測定し、１つのセクターを選択してパイロット測定に基づいてサービングセクターとして指定してもよい。各ユーザーはまた、（例えば、周期的に）他のセクターからパイロットをサーチし、これらのパイロットを測定し、アクティブセット内のセクターを更新／変更するかしないかを決定してもよい。各ユーザーは例えば、呼の開始時におよびアクティブセットが変わるとき、そのアクティブセットをサービングセクターに供給してもよい。従って、各セクターは、そのセクターと通信する各ユーザーに対してアクティブセット情報を有するであろう。
【００２２】
図１に戻って、端末１２０ａ乃至１２０ｈのための８人のユーザーａ乃至ｈはそれぞれセクター１および２の全体にわたって阻害するものとして示される。各ユーザーのアクティブセットは括弧内に示される。また、サービングセクターは太線の下線テキストにより示され、非サービングセクター（もしあれば）は通常のテキストで示される。セクター１はユーザーａ、ｂ、ｃ、ｄのためのサービングセクターであり、セクター２はユーザーｅ、ｆ、ｇ、ｈのためのサービングセクターである。
【００２３】
図３Ａは、干渉送信の選択的なブランキングなしにセクター１および２のためのデータ送信を示す。この例において、各セクターは４つのサブバンドのセットを有する。これは１乃至４のインデックスが与えられる。各サブバンドセットは、１つまたは複数のサブバンドを含んでいてもよい。各正方形の箱は、１つの「送信スパン」に相当する。これはＦＨ−ＯＦＤＭＡシステムの場合、１ホップ期間における１つのサブバンドである。また、各セクターは、そのセクターによりサービスされる４人のユーザーに割り当てられる４つのＦＨシーケンスを有する。各セクターは、割り当てられたＦＨシーケンスにより示されるサブバンド上の４人のユーザーにデータを送信する。図３Ａに示されるように、選択的ブランキング無しに、各セクターは各ホップ期間に４つのサブバンドセットのすべてを４人のユーザーに送信する。各セクター内の４人のユーザーのための送信は正方形の箱の中のイタリックテキストによりラベルが付けられる。
【００２４】
図１に戻ると、セクター１はユーザーａとｂに送信する困難性を有してもよい。
【００２５】
この例において、ターゲットユーザーのアクティブセット内のすべての非サービングセクターは干渉セクターであるとみなされる。ユーザーａとｂは両方ともアクティブセット内の唯一の非サービングセクターとしてセクター２を有するので、セクター１はセクター２に、ユーザーａとｂに送信する困難性を通知し、ユーザーａとｂのためのＦＨシーケンスを供給する。次に、セクター２は、これらの送信がユーザーａおよびｂを干渉するときは４人のユーザーｅ乃至ｈのための送信をブランキングする。同様に、セクター２はユーザーｅに送信する困難性を有していてもよい。ユーザーｅはアクティブセット内の唯一の非サービングセクターとしてセクター１を有するので、セクター２はセクター１にユーザーｅへの送信の困難性を通知し、ユーザーｅのためにＦＨシーケンスを提供する。次に、セクター１は、これらの送信がユーザーｅと干渉するときは４人のユーザーａ乃至ｄのための送信をブランキングするであろう。
【００２６】
図３Ｂは干渉送信の選択的ブランキングを備えたセクター１および２のためのデータ送信を示す。セクター１はユーザーｅのためのＦＨシーケンスにより形成されたブランキングパターンを使用し、ブランキングパターンとの衝突があるときは、ユーザーａ乃至ｄのための送信をブランキングにする。従って、セクター１は、ホップ期間１においてサブバンドセット３上の送信を、ホップ期間２においてサブバンドセット４上の送信を、ホップ期間３においてサブバンドセット２上の送信を等をブランキングする。これらは、ユーザーｅのために使用される。ブランキングされた送信は陰影をつけられた箱により示される。セレクター１による選択的ブランキングのために、セクター２内のユーザーｅはセクター１から干渉を観察せず、より良い性能を享受することができるかもしれない。
【００２７】
セクター２はユーザーａおよびｂのためのＦＨシーケンスにより形成されるブランキングパターンを使用し、ブランキングパターンと衝突があるときは、ユーザーｅ乃至ｈのための送信をブランキングする。従って、セクター２は、ホップ期間１においてサブバンドセット１および４上の送信、ホップ期間２においてサブバンドセット２および３上の送信、ホップ期間３においてサブバンドセット１および２上の送信をブランキングする。これらは、ユーザーａおよびｂのために使用される。セクター２による選択的ブランキングのために、セクター１内のユーザーａおよびｂは、セクター２から何の干渉も観察せず、より良い性能を享受できるかもしれない。
【００２８】
第１の実施形態の場合、および図３Ｂで示されるように、複数のセクターは、同じホップ期間に同じサブバンド上互いに素なアクティブセットを有するユーザー（すなわち、アクティブセット内の異なるメンバー）のみに同時に送信する。これらのユーザーは互いに強く干渉しないと仮定してもよい。従って、これらのユーザーのための同時送信は性能を劣化させずに可能である。
【００２９】
図３Ｃは選択的ブランキングを備えたセクター１および２内の各ユーザーに対して受信したシンボルのシーケンスを示す。セクター２内のユーザーｅのためのセクター１による選択的ブランキングのために、ユーザーａ乃至ｄの各々はセクター１により使用されるブランキングパターンと衝突するサブバンド上にパンクチャードシンボルを有する。パンクチャーされたシンボルは擬似乱数的に分散される。なぜなら、ユーザーａ乃至ｄのためのＦＨシーケンスはユーザーｅのためのＦＨシーケンスに対して擬似乱数であるからである。それはセクター１のためのブランキングパターンとして使用される。同様に、セクター１内のユーザーａおよびｂのためのセクター２による選択的ブランキングのために、ユーザーｅ乃至ｈの各々はセクター２により使用されるブランキングパターンと衝突するサブバンド上のパンクチャードシンボルを有する。この場合も先と同様に、ユーザーｅ乃至ｈのためのパンクチャードシンボルは擬似乱数的に分散される。
【００３０】
図３Ｂに示されるように、パンクチャードシンボルは他のセクターからの干渉を含んでいてもよい。各ユーザーにはサービングセクターにより使用されるブランキングパターンが備えられていてもよい。次に、各ユーザーはブランキングパターンに基づいてブランキングされたシンボルを識別してもよいし、（セクター間干渉を含んでいてもよい）これらのブランキングされたシンボルを消去に設定してもよい。これはデコーディングプロセスにおいて重みを与えない。
【００３１】
選択的ブランキングによるデータシンボルのパンクチャリングはデコーディング性能を低下させる。与えられたセクターによるパンクチャリングが過度なら、そのセクター内の各ユーザーは、他のセクターからの干渉が低減していたとしても信頼できるデコーディングのための十分な数のシンボルを受信しないかもしれない。従って、干渉低減の利点とパンクチャンリングの不利益とをバランスする方法で選択的ブランキング／減衰を実行してもよく、それにより全体的性能における最良の利得を達成することができる。例えば、各ユーザーのためのパンクチャンリングレートは、そのユーザーに送信されるデータシンボルの合計数の所定のパーセンテージ内に限定してもよい。
【００３２】
上に記載した例の場合、各ターゲットユーザーはそのアクティブセット内に唯一つの干渉セクションを有する。一般に、各ユーザーのためのアクティブセットは、任意の数のセクターを含んでいてもよく、各ターゲットユーザーは任意の数の干渉セクターを含んでいてもよい。
【００３３】
上述した第１の実施形態は端末において任意の変更を必要とせずに、フォワードリンク上のセクター間干渉を低減することができる。ターゲットユーザーと干渉ユーザーは、実行されている選択的ブランキング／減衰を知らされる必要なない。従って、選択的ブランキング／減衰をサポートするために無線のシグナリングは必要ない。ターゲットユーザーと干渉ユーザーは、選択的ブランキング／減衰が実行されるか否かに関わらず、同じ方法でそれらの送信を処理（例えば、復調およびデコード）することができる。
【００３４】
また、選択的ブランキング／減衰はセクターにより容易に実施されてもよい。各セクターは通常の方法でユーザーのためのデータを処理（例えば、コード化し変調する）し、データシンボルを取得してもよい。各セクターは、サブバンドへのデータシンボルのマッピングの期間中またはマッピングの後で選択的ブランキング／減衰を実行してもよい。選択的ブランキング／減衰を実施するために、セクター間の少量のシグナリングしか必要としない。
【００３５】
上述され、図３Ａ乃至３Ｃに示された第１の実施形態の場合、各セクターは、そのブランキングパターンと衝突するサブバンド上の送信をブランキングする。この実施形態は、複数のセクターのためのブランキングパターン内にあるサブバンド上の任意のセクターによる送信を生じない。例えば、図３Ｂを参照すると、ホップ期間３にサブバンドセット２上の、ホップ期間５にサブバンドセット３上の等のセクター１または２によりデータシンボルは送信されない。より多くのシグナリング、端末におけるブランキングを実行することを犠牲にするにもかかわらず、これらのサブバンドの各々上の１セクターを送信させることにより改良された性能を達成してもよい。
【００３６】
セクター間干渉を制御するための第２の実施形態において、干渉ユーザーのための送信電力は第１の実施形態に対して上述したように選択的にブランキングまたは減衰されるが、１つ以上のセクターが、複数のセクターのブランキングパターンに共通するサブバンド上に送信することを許容される。第２の実施形態は、例えば以下のように実施してもよい。
【００３７】
各セクターは、隣接セクター内のすべてのターゲットユーザーのためのＦＨシーケンスに基づいて独自のブランキングパターンを決定する。指定されたセクターは隣接セクターにより使用されるブランキングパターンを備えていてもよく、ブランキングパターンの交差にもとづいて「オーバーラップパターン」を決定してもよく、隣接セクターのためのブランキングパターンを決定してもよい。従って、指定されたセクターはオーバーラップパターン内のサブバンド上に送信することを可能にしてもよい。あるいは、各セクターは隣接セクターにより使用されるブランキングパターンを備えていてもよいし、ブランキングパターンおよび隣接セクターのためのブランキングパターンに基づいてオーバーラップパターンを決定してもよい。従って、複数のセクターは、オーバーラップパターン内のサブバンド上の送信を共有することを可能にしてもよい。共有は、例えば所定の方法で達成してもよい。どんな場合でも、オーバーラップパターン内のサブバンド上の送信により影響を及ぼされる各ユーザーは、パンクチャリングパターンを受信してもよい。パンクチャリングパターンは、そのサービングセクターのためのブランキングパターンであってもよい。従って、各影響を及ぼされたユーザーは、パンクチャリングパターン内のサブバンドのためのその受信したシンボルをパンクチャーしてもよい。
【００３８】
図４Ａは図３Ａ乃至３Ｃにおいて上述した例のためのセクター１および２のためのブランキングパターンを示す。また、図４Ａはセクター１および２のためのブランキングパターンの交差により発生されたオーバーラップパターンを示す。このオーバーラップパターンはホップ期間３にサブバンドセット２を、ホップ期間５にサブバンドセット３等を含む。
【００３９】
オーバーラップパターンは、上述した第１の実施形態の場合にセクター１およびセクター２の両方が送信しなかったであろうサブバンドを含む。セクター１または２は、オーバーラップパターン内のサブバンド上に送信することを可能にしてもよい。
【００４０】
図４Ｂは、セクター１内のユーザーａおよびｂのための選択的ブランキングを備えるとともにオーパーラップパターン内のサブバンド上の送信である、オーバーラップ送信を備えたセクター２のためのデータ送信を示す。セクター２のためのブランキングパターンはユーザーａおよびｂのためのＦＨシーケンスにより形成されるが、オーバーラップパターン内のサブバンドを除外する。オーバーラップパターン内のサブバンド上の送信のために、ユーザーａおよびｂはこれらのサブバンド上の干渉を観察する。しかしながら、ユーザーａおよびｂはセクター２により使用されるオーバーラップを備えていてもよい。次に、これらのユーザーの各々は、これらのサブバンドに対して受信されたシンボルをパンクチャーしてもよい。この結果、パンクチャリングは送信機の代わりに受信機において実効されるけれども、ユーザーａおよびｂは、図３Ｃに示される同じ受信シンボルを得るであろう。
【００４１】
図４Ｃは、選択的ブランキングおよびオーバーラップ送信を備えたセクター２内の各ユーザーのための受信シンボルのシーケンスを示す。セクター２はオーバーラップパターン内のサブバンド上に送信することが可能であるので、セクター２内のユーザーｅは、受信したシンボルのすべてを得ることができる。従って、ユーザーｅの性能は改善されてもよい。これは、セクター２がユーザーｅと通信する困難性を有していてもよく、従ってユーザーｅのためのセクター間干渉を低減しようとするので、特に有利である。
【００４２】
図４Ａ乃至図４Ｃに示される例の場合、１つのセクターがオーバーラップパターン内のサブバンド上に送信することが可能である。また、複数のセクターは、これらのサブバンド上の送信を共有してもよい。例えば、セクター１は、奇数番号のホップ期間に対してオーバーラップパターン内のサブバンド上に送信することを可能にしてもよいし、セクター２は偶数番号ホップ期間に対してオーバーラップパターン内のサブバンド上に送信することを可能にしてもよい。これにより、セクター１およびセクター２の各々は、平均してオーバーラップパターンの半分で送信する。また、オーバーラップパターン内のサブバンドの割り当ては、各セクター内のターゲットユーザーの数に基づいて行ってもよい。例えば、セクター１は２つのターゲットユーザーａおよびｂを有するのに対して、セクター２は唯一つのターゲットユーザーｅを有するので、セクター１はオーバーラップパターン内のサブバンドの２／３で送信することを可能にしてもよいし、セクター２は、サブバンドの残りの１／３で送信することを可能にしてもよい。この結果として、セクター１および２のための各ターゲットユーザーは、平均して同じパーセンテージのパンクチャードシンボルを有する。
【００４３】
複数のセクターがオーバーラップパターン内のサブバンド上の送信が共有されるなら、「オーバーラップサブパターン」は、セクターごとに形成してもよく、そのセクターに割り当てられたオーバーラップパターン内のすべてのサブバンドを含むであろう。各セクターのためのブランキングパターンは、隣接セクター内のターゲットユーザーのためのＦＨシーケンスマイナスそのセクターのためのオーバーラップサブパターン内のサブバンドにより形成してもよい。各セクター内の各ユーザーは、そのセクターのためのブランキングパターンに従ってパンクチャリングを実行してもよい。
【００４４】
簡単にするために、図３Ａ乃至４Ｃに示される例に対して選択的ブランキングが記載された。ブランキングは、ターゲットユーザーと実際に干渉する合理的な確立をこれらのユーザーが有するか否かに関わらず、干渉ユーザーのためにシンボルをパンクチャリングする効果を有する。
【００４５】
選択的減衰（およびブランキングではない）は、干渉ユーザーのための性能を改善しながらターゲットユーザーのためのセクター間干渉を低減するために実行されてもよい。隣接セクター内の異なるユーザーは、与えられたターゲットユーザーに対して異なる量の干渉を生じてもよい。さらに、単に干渉ユーザーのための送信電力を減衰することにより、ターゲットユーザーのためのセクター間干渉の十分な低減を達成してもよい。また、ある干渉ユーザーに対しておよび／またはある環境において選択的減衰を実行してもよい。
【００４６】
選択的な減衰は種々の方法で行われてもよい。減衰を実行するための一実施形態において、ブランキングパターン内のサブバンドのための送信電力は所定量（例えば、３ｄＢ、６ｄＢまたは１０ｄＢ）だけ低減される。次に、干渉ユーザーは、これらのサブバンド上でより低いエネルギーシンボルを受信するであろう。これは依然としてデコーディングのために有用であるかもしれない。他の実施形態において、ブランキングパターン内のサブバンドのための送信電力は所定の電力レベルＰcapに制限される。サービング基地局のより近くに配置された隣接セクター内のユーザーは、より少ない送信電力を必要とし、依然として、低減されたまたは制限された送信電力を用いて良好な性能を達成することができるようにしてもよい。例えば、各ユーザーのための送信電力が所望のレベルの性能を達成するために電力制御されるなら、各ユーザーのための送信電力を所定の電力レベル、Ｐcap内に制限することは、すでにこの電力レベルを下回って送信している強いユーザーに影響を与えないかもしれない。
【００４７】
選択的ブランキングと減衰は両方ともセクター内の異なるユーザーのためのセクターにより実行されてもよい。セクターは、ターゲットユーザーに大きな干渉を生じさせる可能性が高いユーザーに対してブランキングを使用してもよく、大きな干渉を生じさせる可能性が低いユーザーに対して減衰を使用してもよい。例えば、ブランキングは、アクティブセット内にターゲットユーザーのサービングセクターを有するユーザーのために実行してもよく、減衰は、アクティブセット内にこのサービングセクターを有するユーザーに対して実行してもよい。図１に示される例の場合、セクター１は、これらの送信がセクター１のためのブランキングパターンと衝突するときは、ユーザーａおよびｂのために送信をブランキングしてもよいし、ユーザーｃおよびｄのために送信を減衰してもよい。同様に、セクター２は、これらの送信がセクター２のブランキングパターンと衝突するときは、ユーザーｅのための送信をブランキングしてもよいし、ユーザーｆ、ｇ、ｈの送信を減衰してもよい。ブランキングと減衰のこの組み合わせはフォワードリングのために使用されてもよいし、リバースリンクに対してさらにより効果的であるかもしれない。
【００４８】
選択的ブランキング／減衰は、ターゲットユーザーの利益のために干渉ユーザーの送信に対して実行されてもよい。ターゲットユーザーは種々の方法で識別されてもよい。
【００４９】
例えば、アクティブセットに複数のセクターを有したユーザーは、図３Ａ乃至３Ｃに対して記載したように、ターゲットユーザーとみなされてもよい。他の例として、セクターが困難な通信（例えば、所定数の送信が失敗した）を有するユーザーは、ターゲットユーザーとしてみなされてもよい。さらに他の例として、隣接セクターの高受信パイロット電力を測定し、および／または隣接セクターから強い干渉を観察するユーザーはターゲットユーザーとしてみなされてもよい。
【００５０】
また、干渉ユーザーは種々の方法で識別されてもよい。図３Ａ乃至３Ｃに対して記載したように、例えば、ターゲットユーザーのアクティブセット内のすべての非サービングセクターは、干渉セクターとしてみなされてもよいし、これらのセクター内のすべてのユーザーは、干渉ユーザーとしてみなされてもよい。事実上、このセクターがアクティブセットにセクターを追加するために使用される条件（複数の場合もある）を満足するなら、隣接セクターは干渉セクターであるとみなされる。ターゲットユーザーにより測定される、そのセクターのための受信されたパイロット電力が追加しきい値を超えるなら、セクターは典型的にアクティブセットに追加される。他の例として、異なる条件（複数の場合もある）（例えば、より高いパイロット電力しきい値）を用いて、隣接セクターが干渉しているか干渉していないかを決定してもよい。この場合も先と同様に、干渉セクター内のすべてのユーザーは干渉ユーザーとしてみなされてもよい。これらの方法で干渉ユーザーを識別することは、選択的ブランキング／減衰の実施を簡単化するかもしれない。
【００５１】
隣接セクター内の各ユーザー（または、各隣接ユーザー）はまた種々の因子に基づいてターゲットユーザーに干渉するまたは干渉しないとして個々にみなされてもよい。これらの因子は、例えば、ターゲットユーザーのサービングセクターのための隣接ユーザーにより測定される受信されたパイロット電力、隣接ユーザーのための送信電力レベル等を含んでいてもよい。隣接ユーザーがターゲットユーザーのサービングセクターから遠く離れて位置するならおよび／または隣接ユーザーのために使用される送信電力が低いなら、隣接ユーザーは過度の干渉をターゲットユーザーに生じさせなくてもよく、選択的ブランキング／減衰から省略してもよい。
【００５２】
図５Ａはセクター間干渉を低減するサブバンドを決定するプロセス５００のフロー図を示す。プロセス５００は、サービング基地局の役割内の各基地局により実行されてもよい。最初に、基地局によりサービスされている、そして低減されたセクター間干渉が求められるユーザー（すなわち、ターゲットユーザー）が識別される（ブロック５１２）。上述するように、ターゲットユーザーはアクティブセット内に複数のセクターを備えたユーザーであってもよいし、または上述したようにいくつかの他の方法で識別してもよい。次に、各ターゲットユーザーのための干渉基地局または干渉ユーザーが識別される（ブロック５１４）。また、上述したように、各ターゲットユーザーのための干渉基地局は、ターゲットユーザーのアクティブセット内の非サービングセクターであってもよいし、またはいくつかの他の方法で識別されてもよい。次に、各干渉基地局のための干渉情報はターゲットユーザーのための情報（例えば、アクティブセットおよびＦＨシーケンス）に基づいて決定される（ブロック５１６）。各干渉基地局のための干渉情報は、基地局からの低減された干渉が求められる特定の送信スパン（または特定のサブバンドおよびホップ期間）を示す。各干渉基地局のための干渉情報は、例えば、アクティブセットに非サービングセクターとしてこの基地局を有するすべてのターゲットユーザーのためのＦＨシーケンスを含んでいてもよい。干渉情報は、典型的に異なる干渉基地局に対して異なる。次に、各干渉基地局のための干渉情報がその基地局に送信される（ブロック５１８）。
【００５３】
図５Ｂは、セクター間干渉を制御するために選択的ブランキング／減衰を実行するためのプロセス５５０のフロー図を示す。プロセス５５０は、干渉基地局の役割内の各基地局により実行されてもよい。最初に、干渉情報は各隣接基地局から受信される（ブロック５５２）。次に、ブランキングパターンが、すべての隣接基地局から受信した干渉情報に基づいて形成される（ブロック５５４）。ブランキングパターンは単に隣接セクター内のターゲットユーザーのためのすべてのＦＨシーケンスのためのすべてのサブバンドを含んでいてもよい。また、ブランキングパターンは上述したように形成されたオーバーラップパターン内にあるサブバンドを除外してもよい。その後、ブランキングパターン内のサブバンド上の送信はブランキング／減衰される（ブロック５５６）。例えば、ブランキングは、ブランキングパターンと衝突するすべての送信に対して実行されてもよい。他の例として、ブランキングは何人かのユーザー（例えば、アクティブセットに隣接セクターを備えたユーザー）の送信のために実行されてもよく、減衰は、他のユーザー（例えば、アクティブセットに隣接セクターを備えていないユーザー）に対して実行されてもよい。
【００５４】
図６は、セクター１における端末のためのサービング基地局１１０ａと干渉基地局１１ｂの一実施形態のブロック図を示す。簡単にするために、基地局１１０ａおよび１１０ｂの送信機部分のみが図６に示される。
【００５５】
基地局１１０ａ内において、エンコーダー／変調器６１４ａは、基地局によりサービスされているＬユーザー（但しＬ＞１）のためのデータソース６１２ａからトラフィック／パケットデータを受信し、コントローラー６３０ａから制御／オーバーヘッドデータを受信する。エンコーダー／変調器６１４ａはそのユーザーのために選択されたコーディングおよび変調スキームに基づいて各ユーザーのためのトラフィック／パケットデータを処理（例えば、フォーマットし、符号化し、インターリーブし、および変調する）し、データのための変調シンボルであるデータシンボルを供給する。各変調シンボルは、その変調シンボルに使用される変調スキームに対応する信号コンステレーション内の特定のポイントのための複素数値である。
【００５６】
シンボル対サブバンドマッピングユニット６１６ａは、すべてのＬユーザーのためのデータシンボルを受信し、これらのデータシンボルを、ＦＨ発生器６４０ａにより発生される、これらのユーザーに割り当てられたＦＨシーケンスにより決定された適切なサブバンド上に供給する。また、マッピングユニット６１６ａは、パイロット送信のために使用されるサブバンド上にパイロットシンボルを供給し、パイロットまたはデータ送信のために使用されない各サブバンドのためのゼロの信号値を供給する。ＯＦＤＭシンボル期間毎に、マッピングユニット６１６ａは、Ｎの合計サブバンドのためのＮの送信シンボルを供給する。この場合、各送信シンボルは、データシンボル、パイロットシンボルまたはゼロ信号値であってもよい。ブランキング／減衰装置６１８ａはマッピングユニット６１６ａから送信シンボルを受信し、基地局１１０ａのための選択的ブランキング／減衰を実行する。
【００５７】
ＯＦＤＭ変調器６２０ａはＯＦＤＭシンボル期間毎にＮの送信シンボル（ブランキング／減衰されたかもしれない１つ以上のシンボル）を受信し、対応するＯＦＤＭシンボルを発生する。ＯＦＤＭ変調器６２０ａは典型的に逆高速フーリエ変換（ＩＦＦＴ）装置およびサイクリックプリフィックス発生器を含む。ＯＦＤＭシンボル期間毎に、ＩＦＦＴ装置は、Ｎの送信シンボルを、Ｎ−ポイント逆ＦＦＴを用いて時間ドメインに変換し、Ｎのタイムドメインチップを含む「変換された」シンボルを得る。各チップは、１つのチップ期間に送信される複素数値である。次に、サイクリックプリフィックス発生器は、各変換されたシンボルの一部を反復し、Ｎ＋Ｃチップを含むＯＦＤＭシンボルを形成する。この場合、Ｃは反復されるチップの数である。反復された部分はしばしばサイクリックプリフィックスと呼ばれ周波数選択フェージングにより生じたシンボル間干渉（ＩＳＩ）に対抗するために使用される。ＯＦＤＭシンボル期間は１つのＯＦＤＭシンボルの期間に相当する。これはＮ＋Ｃチップ期間である。ＯＦＤＭ変調器６２０ａは、ＯＦＤＭシンボルのストリームを供給する。送信機装置（ＴＭＴＲ）６２２ａは、ＯＦＤＭシンボルストリームを受信して処理し（例えば、アナログに変換し、フィルターし、増幅し、周波数アップコンバートする）変調された信号を発生する。変調された信号はアンテナ６２４ａからセクター１内の端末に送信される。
【００５８】
基地局１１０ｂは同様に、基地局１１０ｂによりサービスされているユーザーのためのトラフィックおよび制御データを処理する。しかしながら、シンボル対サブバンドマッピングユニット６１６ｂは、セクター２内のユーザーのためのデータシンボルを、これらのユーザーに割り当てられＦＨ発生器６４０ｂにより発生されたＦＨシーケンスにより決定される適切なサブバンド上に供給する。
【００５９】
コントローラー６３０ａおよび６３０ｂは、それぞれ基地局１１０ａおよび１１０ｂにおける動作を指示する。コントローラー６３０ａおよび６３０ｂは各々プロセス５００およびプロセス５５０を実施して、フォワードリンク上の基地局により発生される干渉を低減してもよい。メモリユニット６３２ａおよび６３２ｂは、それぞれコントローラー６３０ａおよび６３０ｂにより使用されるプログラムコードとデータのための記憶装置を提供する。
【００６０】
選択的ブランキング／減衰の場合、基地局１１０ａは、基地局１１０ｂからの低減されたセクター間干渉が求められる特定のサブバンドを示す干渉情報を決定する。この干渉情報は基地局１１０ｂに送信される。また、基地局１１０ｂは、他の基地局から干渉情報を受信してもよい。基地局１１０ｂ内では、ブランキングパターン発生器６４２ｂは、すべての隣接基地局からの受信された干渉情報に基づいて基地局１１０ｂのためのブランキングパターンを発生する。発生器６４２ｂは、受信された干渉情報に基づいて各隣接セクター内の各ターゲットユーザーのためのＦＨシーケンスを発生してもよく、そしてすべての隣接セクター内のすべてのターゲットユーザーのためのＦＨシーケンスを結合して基地局１１０ｂのためのブランキングパターンを得てもよい。ブランキング／減衰装置６１８ｂは、マッピングユニット６１６ｂからの送信シンボルを受信し、発生器６４２ｂにより提供されるブランキングパターンに基づいて選択的ブランキング／減衰を実行する。装置６１８ｂは、ブランキングパターン内のサブバンドにマッピングされるおよび衝突する送信シンボルをブランキング／減衰してもよい。
【００６１】
図７は、システム１００内の端末の１つである、端末１２０ｘの一実施形態のブロック図を示す。簡単にするために、端末１２０ｘの受信部のみが図７に示される。基地局により送信される変調された信号はアンテナ７１２により受信され、受信された信号は受信機装置（ＲＣＶＲ）に供給されて処理されサンプルを得る。１ＯＦＤＭシンボル期間のサンプルのセットは、１つの受信されたＯＦＤＭシンボルを表す。ＯＦＤＭ復調器（ｄｅｍｏｄ）７１６はサンプルを処理し、受信されたシンボルを供給する。これは、基地局により送信された送信シンボルのノイズのある推定値である。ＯＦＤＭ復調器７１６は典型的にサイクリックプリフィックス除去ユニットおよびＦＦＴユニットを含む。サイクリックプリフィックス除去ユニットは、各受信されたＯＦＤＭシンボル内のサイクリックプリフィックスを除去し、受信された変換されたシンボルを得る。ＦＦＴユニットは、各受信された変換されたシンボルを、ＮポイントＦＦＴを備えた周波数ドメインに変換しＮのサブバンドのためのＮの受信されたシンボルを得る。サブバンド対シンボルデマッピングユニット７１８は、ＯＦＤＭシンボル期間毎にＮの受信されたシンボルを得て、端末１２０ｘに割り当てられたサブバンドのための受信されたシンボルを供給する。これらのサブバンドは、ＦＨ発生器７４０により発生された、端末１２０ｘに割り当てられたＦＨシーケンスにより決定される。復調器／デコーダー７２０は、パンクチャリングパターンを受信してもよく、サービング基地局のブランキングパターン内のサブバンドのための受信されたシンボルをパンクチャーしてもよい。どんな場合でも、復調器/デコーダー７２０は、端末１２０ｘのための受信されたシンボルを処理し（例えば、復調し、デインターリーブし、デコードする）、デコードされたデータを記憶のためにデータシンク７２２に供給する。
【００６２】
コントローラー７３０は端末１２０ｘにおける動作を指示する。メモリユニット７３２は、コントローラー７３０により使用されるプログラムコードとデータのための記憶装置を提供する。コントローラー７３０は、プロセス５５０を実施してリバースリンク上の端末１２０ｘにより発生される干渉を低減してもよい。
【００６３】
明確にするために、干渉制御はフォワードリンクのために特に記載された。また、これらの技術を用いてリバースリンク上のセクター間干渉を制御してもよい。各ユーザーのためのサービングセクターは、そのユーザーがリバースリンク上に過度の干渉を生じているかどうかを決定してもよい。過度の干渉を生じているとみなされるユーザー毎に、サービングセクターは、干渉が低減されなければならないサブバンドを決定してもよくこの干渉情報をユーザーに供給してもよい。各干渉ユーザーはそのサービングセクターから干渉情報を受信し、干渉情報により示されるサブバンド上の送信のブランキング／減衰を実行するであろう。
【００６４】
例えば、図１を参照すると、セクター１内のユーザーａおよびｂは、アクティブセット内に複数のセクターを有し、アクティブセットに非サービングセクターとしてセクター１を有するユーザーｅに対して過度の干渉を生じさせるとみなされるかもしれない。ユーザーａおよびｂはユーザーｅのためのＦＨシーケンスを備えていても良く、ユーザーｅのためにＦＨシーケンスと衝突するサブバンド上の送信をブランキング／減衰してもよい。同様に、ユーザーｅは、セクター１内のユーザーａおよびｂに過度の干渉を生じさせるとみなされてもよい。ユーザーａおよびｂの両方は、アクティブセットに非サービングセクターとしてセクター２を有する。ユーザーｅは、ユーザーａとｂのためのＦＨシーケンスを備えていてもよく、ユーザーａとｂのためのＦＨシーケンスと衝突するサブバンド上の送信をブランキング／減衰してもよい。
【００６５】
ここに記載された技術は、ＯＦＤＭベースシステム並びにＦＤＭＡシステムおよびＴＤＭＡシステムに使用されてもよい。選択的ブランキング／減衰は送信スパンに対して実行されてもよい。この場合、送信スパンは時間および／または周波数次元をカバーしてもよい。ＦＤＭＡシステムの場合、送信スパンは与えられた期間に１つ以上の周波数サブバンドに相当してもよく、過度の干渉を備えた周波数サブバンド上の送信は選択的にブランキング／減衰される。ＴＤＭＡシステムの場合、送信スパンは与えられた時間間隔に相当してもよく、過度の干渉を備えた時間間隔に対する送信は、選択的にブランキング／減衰されてもよい。ＯＦＤＭベース（例えば、ＯＦＤＭＡ）システムの場合、送信スパンは、１つ以上のＯＦＤＭシンボル期間における１つ以上のサブバンドのセットに相当してもよい。
【００６６】
ここに記載された干渉制御技術は、種々の手段により実施されてもよい。例えば、これらの技術はハードウエア、ソフトウエア、またはそれらの組み合わせにおいて実施されてもよい。ハードウエア実施の場合、干渉制御を実行するために使用される処理装置は、１つ以上の特定用途向け集積回路移（ＡＳＩＣｓ）、デジタルシグナルプロセッサー（ＤＳＰｓ）、デジタルシグナル処理装置（ＤＳＰＤｓ）、プログラマブルロジックデバイス（ＰＬＤｓ）、フィールドプログラマブルゲートアレイ（ＦＰＧＡｓ）、プロセッサー、コントローラー、マイクロコントローラー、マイクロプロセッサー、ここに記載された機能を実行するように設計された他の電子装置、またはそれらの組み合わせにおいて実施されてもよい。
【００６７】
ソフトウエア実施の場合、干渉制御技術は、ここに記載された機能を実行するモジュール（例えば、手続、機能等ウ）をもちいて実施されてもよい。ソフトウエアコードはメモリユニット（例えば、図６のメモリユニット６３２または図７のメモリユニット７３２）に記憶され、プロセッサー（例えば、図６のコントローラー６３０または図７のコントローラー７３０）により実行されてもよい。メモリユニットはプロセッサー内部でまたはプロセッサー外部で実施されてもよい。プロセッサー外部で実施される場合、メモリユニットは、技術的に知られている種々の手段を介してプロセッサーに通信可能にプロセッサーに接続することができる。
【００６８】
開示された実施形態の上述の記載は、任意の当業者がこの発明を製作しまたは使用することを可能にするために提供される。これらの実施形態に対する種々の変更は当業者に容易に明白であろう。そして、ここに定義された統括的原理は、この発明の精神または範囲を逸脱することなく他の実施形態に適用されてもよい。従って、この発明は、ここに示される実施形態に限定されることを意図したものではなく、ここに開示された原理および新規な特徴と一致する最も広い範囲が許容されるべきである。
【図面の簡単な説明】
【００６９】
【図１】図１は無線多重アクセス通信システムを示す。
【図２】図２は時間周波数平面上の周波数ホッピングを図解する。
【図３Ａ】図３Ａは干渉送信の選択的ブランキングを備えないおよび備えたデータ送信を示す。
【図３Ｂ】図３Ｂは干渉送信の選択的ブランキングを備えないおよび備えたデータ送信を示す。
【図３Ｃ】図３Ｃは干渉送信の選択的ブランキングを備えないおよび備えたデータ送信を示す。
【図４Ａ】図４Ａは、干渉送信の選択的ブランキングを備えたおよび隣接セクターによるブランキングされたサブバンド上のデータ送信を示す。
【図４Ｂ】図４Ｂは、干渉送信の選択的ブランキングを備えたおよび隣接セクターによるブランキングされたサブバンド上のデータ送信を示す。
【図４Ｃ】図４Ｃは、干渉送信の選択的ブランキングを備えたおよび隣接セクターによるブランキングされたサブバンド上のデータ送信を示す。
【図５Ａ】図５Ａは干渉を低減するためにサブバンドを決定するためのプロセスを示す。
【図５Ｂ】図５Ｂは選択的ブランキング／減衰を実行するためのプロセスを示す。
【図６】図６はサービング基地局および干渉基地局を示す。
【図７】図７は無線端末を示す。
【図１】
2007538462.tif 000003
【図２】
2007538462.tif 000004
【図３Ａ】
2007538462.tif 000005
【図３Ｂ】
2007538462.tif 000006
【図３Ｃ】
2007538462.tif 000007
【図４Ａ】
2007538462.tif 000008
【図４Ｂ】
2007538462.tif 000009
【図４Ｃ】
2007538462.tif 000010
【図５Ａ】
2007538462.tif 000011
【図５Ｂ】
2007538462.tif 000012
【図６】
2007538462.tif 000013
【図７】
2007538462.tif 000014
【国際調査報告】
2007538462.tif 000015
2007538462.tif 000016
2007538462.tif 000017
2007538462.tif 000018
2007538462.tif 000019